(57)【要約】【課題】  サスペンションの外周をインサート部品で生成のため、振幅の妨げになる。【解決手段】  ヨーク２の内部に順次積層される磁石３、トップレート４から構成される磁気回路部１と、ヨーク２の側壁の内周部とトッププレート４の外周部との間に形成される空隙g内に配置されるボイスコイル５と、磁気回路部１の外方でボイスコイル５を保持する基板７と、磁気回路部１を保持しフレーム６に固定された第１のサスペンション１１と、ヨーク２の外周部に固定されたリング状の重り９と、筒状側壁部を有し全面を覆うプロテクター１０と、プロテクター１０の底部に固定された第２のサスペンション８とを備えた振動体で、第１のサスペンション１１の内周部１１aをフレーム６に固定すると共に、外周部１１bを重り９に固定することにより、第１のサスペンション１１のバネの有効長が設定され、バネの有効長を長くすることができ、振幅が大きくでき、振動値が向上する。【選択図】  図１
2007275776.tif 000002
【特許請求の範囲】
【請求項１】
碗形状をしたヨークと、該ヨークの内部に順次積層される磁石およびトップレートから構成される磁気回路部と、該磁気回路部のヨークの側壁の内周部とトッププレートの外周部との間に形成される空隙内に配置されるボイスコイルと、前記磁気回路部の外方でボイスコイルを保持する基板と、前記磁気回路部を保持しフレームに固定された第１のサスペンションと、前記ヨークの外周部に固定されたリング状の重りと、筒状側壁部を有し全面を覆うプロテクターと、該プロテクターに固定された第２のサスペンションとを備えた振動体において、前記第１のサスペンションの内周部を前記フレームに固定すると共に、外周部を前記重りに固定することにより、前記ボイスコイルの下側に前記第１のサスペンションが配置され、ボイスコイルの外径付近より前記第１のサスペンションのバネの有効長が設定されることを特徴とする振動体。
【請求項２】
前記第１のサスペンションの固定は、第１のサスペンションの内周部を前記フレームにインサートモールドし、外周部の２箇所を前記重りにレーザ溶接したことを特徴とする請求項１記載の振動体。
【発明の詳細な説明】
【技術分野】
【０００１】
本発明は、携帯電話やＰＤＡなどの移動通信機器に組み込まれ、パネルや電話機の筐体等を振動させることにより、着信を知らせる振動体に係り、磁気回路に対し上下にサスペンションを配置した振動体に関する。
【背景技術】
【０００２】
従来、携帯電話やＰＤＡなどの移動通信機器には、使用者に着信を知らせるのに、ブザー音やメロディ音を発したり、音を出さずに機器の筐体を振動させるように切り替えて使用するように構成されている。そのために、小型スピーカに類する音響発生用のスピーカと、偏心重りを小型モータで回転させて振動を発生する振動体を合わせて内蔵する構造が取られてきた。しかし、このようにスピーカと振動体との両方を組込むことは機器の小型化や低価格化の上で不利であった。そこで、近年１個のもので音響と振動の両方を発生させる磁気駆動型アクチュエータである振動体が用いられるようになっている。振動を発生させるために、磁気回路に対し上下にサスペンションを配置した振動体が開示されている。（例えば、特許文献１参照）
【特許文献１】特願２００６−０１１０８７号（第３〜４頁、図１）
【０００３】
先に、本出願人が出願した上記の特許文献１に開示されている振動体の構造は、図３及び図４で示される。図３は振動体の断面図である。図３において、振動体の磁気回路部２１は、略碗形状をしたヨーク２２と、該ヨーク２２の内部に順次積み重ねられる磁石２３およびトップレート２４から構成される。そして、この磁気回路部２１と、ヨーク２２の側壁の内周部と平板状のトッププレート２４の外周部との間に形成される空隙（磁気ギャップ）ｇ内にボイスコイル２５を配設する。このボイスコイル２５は、基板２６に位置決めされ接着されている。
【０００４】
第２のサスペンション２７は筒状側壁部２７aを有し、該筒状側壁部２７aの底部２７bに板バネ２７cを一体に成形されており、内周リング部で前記磁気回路部２１のヨーク２２の底部にレーザ溶接などで固定されている。フレーム２８は前記第２のサスペンション２７の筒状側壁部２７aの端面に嵌め込まれている。基板２６の外径は前記第２のサスペンション２７の内径にて位置決めされ、基板２６はフレーム２８に接着して固定されている。第１のサスペンション２９の外周部２９ｂはリング形状をしたフレーム２８にインサート成形されている。３０は、付加質量としてのリング状の重りで、内径部３０ａで前記ヨーク２２の外周に固定されている。上記した振動体の第２のサスペンション２７の底面２７ｂ及び側面２７ａの全面をプロテクター３１で覆い、プロテクター３１の端面を折り曲げて押圧部３１ａを形成し、該押圧部３１ａで基板２６の外周部を押さえ込み保持している。３２は基板２６の下面に配設された衝撃緩衝部材である。
【０００５】
図４は、前記第１のサスペンション２９の平面図である。図４において、２９aは有効バネ部、２９bは外周をフレーム２８にインサートモールドにて固定されたバネ固定部、２９cは内周をヨーク２２の上面にレーザ溶接で固定されたバネ固定部である。
【発明の開示】
【発明が解決しようとする課題】
【０００６】
解決しようとする問題点としては、上記した構造の振動体において、第１のサスペンションの外周をインサート部品で生成していたため、フレームの厚みに制約があり、振幅の妨げとなっていた。また、第１のサスペンション設計における制約条件として、ボイスコイル径により、内周固定部が決定され、板厚により、プレス時のクリアランスが決定される。そのため、バネの有効長が短く、金属疲労防止のため、振幅を小さくする必要が生じ振動値を上げることができない。などの問題があった。
【０００７】
本発明は、上述の欠点を解消するもので、その目的は、製品サイズ（直径）の小型化による、サスペンションの金属疲労を緩和し、破断などの重大故障を回避し、信頼性に優れた振動体を提供するものである。
【課題を解決するための手段】
【０００８】
上記目的を達成するために、本発明における振動体は、碗形状をしたヨークと、該ヨークの内部に順次積層される磁石およびトップレートから構成される磁気回路部と、該磁気回路部のヨークの側壁の内周部とトッププレートの外周部との間に形成される空隙内に配置されるボイスコイルと、前記磁気回路部の外方でボイスコイルを保持する基板と、前記磁気回路部を保持しフレームに固定された第１のサスペンションと、前記ヨークの外周部に固定されたリング状の重りと、筒状側壁部を有し全面を覆うプロテクターと、該プロテクターに固定された第２のサスペンションとを備えた振動体において、前記第１のサスペンションの内周部を前記フレームに固定すると共に、外周部を前記重りに固定することにより、前記ボイスコイルの下側に前記第１のサスペンションが配置され、ボイスコイルの外径付近より前記第１のサスペンションのバネの有効長が設定されることを特徴とするのである。
【０００９】
また、前記第１のサスペンションの固定は、第１のサスペンションの内周部を前記フレームにインサートモールドし、外周部の２箇所を前記重りにレーザ溶接したことを特徴とするものである。
【発明の効果】
【００１０】
本発明の振動体は、従来の構造では、第１のサスペンションの外周部をフレームにインサートモールドしていたため、サスペンションの有効長を長くすることができず、フレームの厚みに制約があり、振幅の妨げとなっていたが、本発明の構造は、第１のサスペンションの固定部が内周となったため、サスペンションの有効長を最大にし、金属などのリングが使用できるので薄く生成され、振幅の妨げにならず、振幅を大きくできることで、得られる振動値が向上する。
【発明を実施するための最良の形態】
【００１１】
本発明の振動体について、図面に基づいて説明する。
【実施例】
【００１２】
図１、図２は、本発明の実施例に係わり、図１は、振動体の断面図、図２は、第２のサスペンションの平面図である。図１において、従来例と同様に、この振動体の磁気回路部１は、略碗形状をしたヨーク２の内部に順次積み重ねられる磁石３およびトッププレート４から構成される。そして、この磁気回路部１と、ヨーク２の側壁の内周部と平板状のトッププレート４の外周部との間に形成される空隙（磁気ギャップ）ｇ内にボイスコイル５を配設する。このボイスコイル５は、フレーム６を介して基板７に位置決めされている。第２のサスペンション８の外周部は、付加質量としてのリング状の重り９の底面にレーザ溶接などにて固定され、その内周部は全面を覆うプロテクター１０の底面にレーザ溶接などにて固定されている。また、第１のサスペンション１１は、内周部１１aをフレーム６にインサートモールドなどにて固定され、外周部１１bの2箇所を前記重り９の上面にレーザ溶接などにて固定されている。１２は衝撃緩衝部材で、基板７およびヨーク２の下面側に配設されている。１３はリング形状をしたリングで、前記プロテクター１０の筒状側壁部の端面に嵌め込まれている。リング１３は、金属部材を使用することができ、薄くすることができる。前記基板７の外径は前記プロテクター１０の内径にて位置決めされていて、その端面を折り曲げて押圧部１０aを形成して、該押圧部１０ａで基板７の外周部を押さえ込み保持するものである。
【００１３】
図２において、第１のサスペンション１１の構成は、前記フレーム６にインサートモールドなどにて固定される内周部１１aと、前記重り９の上面にレーザ溶接などにて固定される２箇所の外周部１１bとの２つのバネ固定部（拘束部）と、この２つの固定部に挟まれた２本のバネ有効長（有効バネ部）１１Aとよりなる。従って、第１のサスペンション１１の設計における制約条件は、ボイスコイル５の下側にサスペンションが配置でき、ボイスコイル５の外径付近より、バネの有効長１１Aが設けられるので、従来のバネの有効長より長くすることができる。
【００１４】
以上、述べた構成の振動体の作用・効果について説明する。従来の製品は、第１のサスペンションの外周をインサート部品で生成していたため、フレームの厚みに制約があり振幅の妨げとなっていた。本発明の振動体は、第１のサスペンションの固定部が内周となったため、サスペンションのバネの有効長を最大にできる。また、金属などのリングが使用できるので薄く生成され、振幅の妨げにならず従来よりも振幅を大きくできるので、振動値を大きくすることが可能となる。信頼性に優れた振動体を提供することが可能である。
【図面の簡単な説明】
【００１５】
【図１】本発明の実施例に係る振動体の断面図である。
【図２】図１の第１のサスペンションの平面図である。
【図３】従来の他の振動体の断面図である。
【図４】図３の第１のサスペンションの平面図である。
【符号の説明】
【００１６】
１  磁気回路部
２  ヨーク
３  磁石
４  トップレート
５  ボイスコイル
６  フレーム
７  基板
８  第２のサスペンション
９  重り
１０  プロテクター
１１  第１のサスペンション
１１a  内周部（固定部）
１１b  外周部（固定部）
１１A  バネ有効長（有効バネ部）
１２  衝撃緩衝材
１３  リング
g   磁気ギャップ
【図１】
2007275776.tif 000003
【図２】
2007275776.tif 000004
【図３】
2007275776.tif 000005
【図４】
2007275776.tif 000006